(57)【要約】【課題】  穿刺具の使用者が安全で簡易に使用済みランセットを本体から取り外して廃棄でき、かつ、処理業者等が廃棄されたランセットを安全に取り扱うことができる穿刺具用キャップを提供する。【解決手段】  穿刺具用キャップ１は押し込み部材２を有し、これを押圧することによって、押し込み部材２とランセット６が係着し、簡単に穿刺具用キャップ１とランセット６を固定できる。穿刺具用キャップ１に固定された使用済みランセットを廃棄しても、ランセット６の針は穿刺具用キャップ１に覆われているため、安全に使用済みランセットを処理することができる。【選択図】  図１
2005253781.tif 000002
【特許請求の範囲】
【請求項１】
皮膚を穿刺するための針を瞬間的に突出させる弾性体を内部に有する本体と、この本体に装着された、前記針を有するランセットと、前記本体に装着され前記ランセットを覆うためのキャップとを備えた穿刺具であって、
前記ランセットが、溝を有し、
前記キャップが開口部を有し、かつ、押圧されることにより前記開口部から前記キャップ内に没入し、前記ランセットの溝に係着する押し込み部材を有することを特徴とする穿刺具。
【請求項２】
前記押し込み部材が、前記キャップの外側に凸設され、
前記押し込み部材を押圧したとき、前記押し込み部材の一部分が前記キャップの開口部の一部に係止し、前記係止部の前記ランセットへの係着状態を保持する、
請求項１記載の穿刺具。
【請求項３】
前記押し込み部材が、前記キャップに形成した開口部に、下部が結合した状態で設けられ、かつ、前記開口部より長尺に形成されている請求項１又は２記載の穿刺具。
【請求項４】
前記押し込み部材の突端に、前記ランセットの溝に係着する係止部を設け、かつ、この係止部の頭部に前記キャップの内側下方へ傾く傾斜部を形成した請求項１、２又は３記載の穿刺具。
【請求項５】
前記ランセットを前記本体に対して回動自在とした請求項１〜４のいずれかに記載の穿刺具。
【請求項６】
前記係止部を、ほぼ対向する二箇所に配置した請求項１〜５のいずれかに記載の穿刺具。
【請求項７】
前記押し込み部材の少なくとも一方に、キャップの中心に向かって複数の押し込み突起を設けた請求項１〜６のいずれかに記載の穿刺具。
【請求項８】
前記押し込み部材に設けられた二個の押し込み突起の中心へ向かう角度が、ランセットの隣り合うリブの中心に向かう角度より小さくした請求項１〜７のいずれかに記載の穿刺具。
【請求項９】
キャップ胴部が矩形状である請求項１〜８いずれかに記載の穿刺具。
【発明の詳細な説明】
【技術分野】
【０００１】
本発明は、穿刺具用キャップに関し、特に、使用済みのランセットを安全に本体から取り出し、廃棄することができる穿刺具キャップに関する。
【背景技術】
【０００２】
感染症の原因となる細菌、ウイルスが血液経由で媒介される危険性から、通常、穿刺具のランセットは使い捨て処分される。したがって、処分時には、穿刺具本体からキャップを外して使用済みランセットを取り外さなければならない。
ところが、ランセットの使用者が本体からランセットを抜き取る場合に、使用済みランセットの針で指先を突いてしまう危険性があった。
また、ランセットの針が露出したまま廃棄されると、廃棄業者等が誤ってランセットの針で皮膚を刺す事故が起きるおそれがあった。
したがって、使用済みランセットの針には未使用時のランセット針を保護する樹脂カバーを再び被せて、安全に本体からランセットを取り外し、廃棄することが一般に行われている。
【０００３】
しかし、ランセットの使用者が、樹脂カバーを針の先端に被せようとする際に、指先を針で突いてしまう新たな問題が生じた。特に、ランセットの使用者には、糖尿病の合併症のために目の不自由な患者も多く、ランセットの針突き事故の生ずる頻度は高い。
また、一本の穿刺具を同一人物が連続使用する場合には問題は少ないが、一本の穿刺具を複数人が使用することもあるため、樹脂カバーを針につける際、穿刺具本体に血液が付着する可能性が高く、血液経由の感染症等の危険性もあった。
【０００４】
そこで、使用後のランセットを穿刺具のキャップで押圧してランセットをキャップと固定し、キャップを本体から取り外すことで、使用済みランセットに触らずに廃棄できる穿刺具用キャップが提供されている（例えば、特許文献１参照。）。
これにより、使用者がキャップに挟まった使用済みランセットをキャップごとゴミ箱の真上まで持ってゆき、そこでキャップの押圧を解除して、ゴミ箱にランセットを落下して廃棄できるため、指先を針で突いてしまう事故を防止することができるようになった。
また、穿刺具本体に血液が付着することによる感染症の危険性を解消できるようになった。
【０００５】
【特許文献１】特開２０００−１７５８８９号公報（第１頁、第４図）
【発明の開示】
【発明が解決しようとする課題】
【０００６】
しかしながら、使用者が直接に使用済みランセットに接触しないで廃棄できるようになっても、ゴミ箱等に廃棄されたランセットの針はむき出し状態のままである。
また、ランセットの針に樹脂カバーをして廃棄しても、そのカバーが外れて、針がむき出しの状態になってしまうおそれがある。
そのため、ランセットを取り扱う廃棄業者等は、誤って針先で皮膚を刺してしまう事故が起きるおそれがある。特に、ランセットや針の表面には、血液が付着、残留しているため、誤刺による感染を起こす可能性が大きい。
【０００７】
本発明は、以上のような従来の技術が有する問題を解決するために提案されたものであり、穿刺具の使用者が安全で簡易に使用済みランセットを本体から取り外して、廃棄することができ、かつ、安全に廃棄されたランセットの取り扱いができる穿刺具用キャップの提供を目的とする。
【課題を解決するための手段】
【０００８】
上記目的を達成するため、本発明の請求項１記載の穿刺具は、皮膚を穿刺するための針を瞬間的に突出させる弾性体を内部に有する本体と、この本体に装着された、前記針を有するランセットと、前記本体に装着され前記ランセットを覆うためのキャップとを備えた穿刺具であって、前記ランセットが、溝を有し、前記キャップが開口部を有し、かつ、押圧されることにより前記開口部から前記キャップ内に没入し、前記ランセットの溝に係着する押し込み部材を有することを特徴とする構成となっている。
【０００９】
このような構成からなる穿刺具は、キャップに押し込み部材が形成されているため簡単に押圧することができ、また、押し込み部材の押圧によって、押し込み部材がキャップ内部に没入し、簡単に押し込み部材とランセットが係着し、両者を固定することができる。
これにより、使用者がキャップに挟まった使用済みランセットをキャップごとゴミ箱の真上まで持ってゆき、そこでキャップの押圧を解除しても、ランセットとキャップは分離しない。したがって、ゴミ箱などに直接廃棄されたランセットによって、針の皮膚を突いてしまう事故を防止することができる。
【００１０】
本発明の請求項２記載の穿刺具は、前記押し込み部材が、前記キャップの外側に凸設され、前記押し込み部材を押圧したとき、前記押し込み部材の一部分が前記キャップの開口部の一部に係止し、前記係止部の前記ランセットへの係着状態を保持する構成となっている。
このような構成にすると、押圧を解除した後も、係止部が押圧前の元の状態に戻ることがない。
これにより、穿刺具用キャップとランセットが分離しないため、ランセットを廃棄した後も安全にランセットを処理することができる。
【００１１】
本発明の請求項３記載の穿刺具は、前記押し込み部材が、前記キャップに形成した開口部に、下部が結合した状態で設けられ、かつ、前記開口部より長尺に形成された構成となっている。
このような構成とすると、押し込み部材を押圧し、いったん押し込み部材をキャップの内部に押し込むと、押し込んだ押し込み部材はキャップの外へ戻ることなく、ランセットとの係着を維持することができる。
【００１２】
本発明の請求項４記載の穿刺具は、前記押し込み部材の突端に、前記ランセットの溝に係着する係止部を設け、かつ、この係止部の頭部に前記キャップの内側下方へ傾く傾斜部を形成した構成となっている。
このような構成とすると、押し込み部材を押圧したときに、係止部の頭部における傾斜部にそって、押し込み部材が開口部から簡単にキャップ内に没入し、いったん没入した後は、容易に開口部から外れない。また、係止部が確実にランセットの溝に係着する。
【００１３】
本発明の請求項５記載の穿刺具は、前記ランセットを前記本体に対して回動自在とした構成となっている。
このような構成とすると、押し込み部材を押圧したときに、係止部とランセットの位置関係がどのようになっていても、ランセットが回動することによって係止部が溝に係着する。
【００１４】
本発明の請求項６記載の穿刺具は、前記係止部を、ほぼ対向する二箇所に配置した構成となっている。
このような構成とすると、押し込み部材を指で挟んで押圧することによって、キャップの内部に容易に没入させ、ランセットの対向する位置に係止部を係着させることができる。ここで、ほぼ対向とは、１８０度対向する場合と１８０度より僅かにずれて対向する場合の両方を含む意味である。なお、１８０度より僅かにずれて対向している場合には、係止部が確実に前記ランセットのガイドリブを押して回動させることにより、前記ランセットの溝に係着する。
【００１５】
本発明の請求項７記載の穿刺具は、前記押し込み部材の少なくとも一方に、キャップの中心に向かって複数の押し込み突起を設けた構成となっている。
このような構成とすると、押し込み部材の内側に取り付けられた押し込み突起がランセットのガイドリブを押して、ランセットを回動させながら確実にランセットの溝に係着する。
【００１６】
本発明の請求項８記載の穿刺具は、前記押し込み部材に設けられた二個の押し込み突起の中心へ向かう角度が、ランセットの隣り合うリブの中心に向かう角度より小さくした構成となっている。
このような構成とすると、二個の押し込み突起がランセットのガイドリブの間に位置し、確実にキャップとランセットを固定して、本体から分離することができる。
【００１７】
本発明の請求項９記載の穿刺具は、キャップ胴部が矩形状である構成となっている。
このような構成とすると、キャップ胴部は転がりにくくなるため、取り扱いが容易となる。また、形状が単純化するので成形が容易となる。
【発明の効果】
【００１８】
以上のように、本発明の穿刺具によれば、押圧前にはキャップの外側に押し込み部材が設けられているので簡単に押圧することができ、また、押し込み部材を押圧するだけで、押し込み部材の係止部がランセットの溝に入り込むため簡単に押し込み部材とランセットが係着する。そして、一度押圧された押し込み部材はランセットとの係着状態を保持するので、穿刺具用キャップを本体から引き抜くとき、両者は一体となって本体から分離される。
これにより、ランセットに接触することなくキャップを本体から外すだけで、ランセットを廃棄することが可能となる。
【００１９】
また、廃棄後においても、キャップ内にランセットを確実に保持し、ランセットがキャップから離脱しないようにすることができる。
これにより、穿刺具の使用者が直接、使用済みランセットに接触しないで安全にランセットを廃棄することができるだけでなく、廃棄後にランセットの針がむき出し状態になることを防止することができる。
【発明を実施するための最良の形態】
【００２０】
以下、本発明に係る穿刺具の好ましい実施形態について、図１〜図６を参照して説明する。
図１は、本発明に係る穿刺具の本体、ランセット、キャップを示しており、（ａ）は、穿刺具全体の分解側面図、（ｂ）は、本体にランセットを固定させた状態の拡大側面図、（ｃ）は、キャップの一部を断面にした拡大側面図である。
この穿刺具の本体１０は、本体ホルダー１１、本体頭部１２、本体胴体部１３とからなっている。本体頭部１２の先端には、ランセット２０を差し込む円筒１４が突設されており、また、本体頭部１２には、本体内部のばねの付勢を解除するための発射ボタン１５が取り付けられている。
ランセット２０を差し込むための円筒１４は、本体ホルダー１１に対しては回動自在に、また、本体頭部１２に対しては、軸方向に移動自在となっている。
【００２１】
ランセット２０には、先端に針２１が取り付けられている。また、周面軸方向には、複数（本実施形態では四本）のリブ２２が形成され、これらリブ２２の間には、それぞれ溝２４が形成されている。ランセット２０の軸方向両端にはフランジ２３が形成されており、溝２４の両端は塞がれた状態となっている。
【００２２】
キャップ３０は、樹脂等の可撓性のある材質からなっており、押し込み部材３１が設けられている。押し込み部材３１は、キャップ３０の側面の対向する部分に形成された二つの開口部３７に、下部がキャップ３１と結合した状態でそれぞれ形成されている。押し込み部材３１の係止部３２は、キャップ開口部３７よりやや背高であり、かつ、キャップの内側に向かって下り傾斜に形成されている。一方の押し込み部材３１には、中央上端に係止部３２、先端突出部３２ａを突設させ、他方の押し込み部材３１には、係止部３２を突設させるとともに中央上端からややずらした位置に先端突出部３２ａを設けている。
なお、キャップ３０に形成する開口部３７及び押し込み部材３１は、一つあるいは三つ以上であってもよい。
【００２３】
キャップ頭部３４の先端はランセットの針が突出するための開孔３６が設けられている。一方、キャップ胴部３５には、本体ホルダー１１と結合するために円筒状に開口されている。
また、キャップ３０には透明又は半透明の材質を用いている。したがって、キャップ３０の中に装着されるランセット２０及び本体円筒１４の様子を見ることができる。
なお、キャップの構成を上記したようにすると、キャップの半径方向に大きく張り出すアンダーカット部分がないので、一体成形によって製造することが可能となり、コストの低減を図ることができる。
【００２４】
本実施形態に係る穿刺具の使用方法を図１にもとづいて説明する。
まず、本体ホルダー１１先端の円筒１４にランセット２０を装着する。未使用時のランセットには針を保護する樹脂カバーが被せてあるため、円筒１４にランセット２０を装着した後、ランセット２０から樹脂カバーを取り外し、針２１を露出させる。ランセット２０がセットされた本体ホルダー１１にキャップ３０を被せ、キャップ３０と本体１０を結合させる。
【００２５】
次に、本体頭部１２を一方の手で持ち、他方の手で本体胴体部１３を引くと、本体胴体部内部のばねが付勢されるとともに、円筒１４がホルダー内部に引き込まれ、発射ボタン１５がロックされる。
この状態で、キャップ頭部３４を皮膚にあて、穿刺具の発射ボタン１５を押すと、本体内部のばねの付勢が開放され、ランセット２０はキャップ先端に向かって勢いよく発射される。
針２１はキャップ先端の開口部３６から僅かな長さだけ瞬間的に突き出て、皮膚を穿刺する。ランセット２０の先端部はキャップ頭部３４に衝突し、その反動及びばねの引き戻し力でランセットの針２１は再びキャップ内部に戻る。
【００２６】
次に、押し込み部材３１を押圧する。押し込み部材３１が押圧されると、キャップの結合部が曲げられる。そのとき、押し込み部材３１の先端部に取り付けられた係止部３２も同時に押圧されて、キャップ頭部３４の開口部３７からキャップの内側に没入する。キャップ頭部３４から開口部３７に没入した押し込み部材３１は、開口部３７より背高なので、その先端部後縁が開口部３７の内側上縁に当接し、キャップは外側には戻らない。
【００２７】
キャップ内部にはランセット２０が本体の円筒１４に装着されているため、押し込み部材３１が押圧されると、係止部３２の先端突出部３２ａは、ランセットに設けられている複数のリブ２２によって形成される溝２４に係着する。これらがランセット２０の溝２４に係着した状態で、キャップ３０を本体１０から引き抜くと、先端突出部３２ａはランセット２０のフランジ２３に当たるまでキャップ３０を移動する。そして、前記先端突出部３２ａがフランジ２３に当たると、ランセット２０はキャップ３０とともに本体１０から分離される。
なお、キャップ頭部の長さは、先端突出部３２ａがフランジ２３と当接した状態で、ランセットの針２１がキャップ開口部３７から突出しない寸法とすることが好ましい。
【００２８】
以上により、皮膚を穿刺したランセット２０は、キャップの押し込み部材３１を押圧することによってキャップ１０と固定され、そのままキャップ３０を本体１０から引き抜くことによって、直接ランセットに触れることなく、本体から外すことができる。
さらに、抜き取ったランセット２０は、キャップ３０と固定されているため、ランセットの針２１がキャップ３０から露出することなく、安全に使用済みランセットとして処理することができる。
【００２９】
本発明に係る穿刺具について、ランセットを本体に装着した後、針を皮膚に穿刺し、ランセットをキャップとともに本体から抜き取る状態までを図２、図３にもとづいて詳しく説明する。
図２及び図３の（ａ）、（ｂ）、（ｃ）、（ｄ）は、本体ホルダー１７とそれに付属する円筒１４、ランセット２０、キャップ３０の断面図である。
【００３０】
図２は、ランセット２０を本体の円筒１４に装着し、キャップ３０を被せた後、本体の弾性体を引いてランセットの針２１を穿刺する前までの状態を示している。
（ａ）は、ランセット２０を本体の円筒１４に装着する前の状態である。ランセット６の先には皮膚を穿刺するための針２１が取り付けられている。
（ｂ）は、キャップ３０をランセット２０に被せるように本体ホルダー１１に装着する状態である。キャップ３０は、ランセット２０を円筒１４に装着した後、本体ホルダー１１に取り付けられる。
（ｃ）は、ランセット２０を本体の円筒１４に装着し、キャップ３０でランセット２０を覆った状態である。
ランセットの針２１もキャップ３０の内部に納まるため、ランセット２０の使用者は安全に穿刺具を取り扱うことができる。
（ｄ）は、ランセットの針２１を皮膚に穿刺するために本体内部のばねなどの弾性体を引き込んで付勢力を与えた状態である。ランセット２０には付勢力を与える構造は、公知の穿刺具と同様の構造となっている。
【００３１】
図３は、本体の弾性体の付勢力を開放させて、針２１を皮膚に穿刺させた後、使用済みランセット２０をキャップ３０とともに本体１０から分離させるまでの状態を示している。
（ａ）は、本体に具備されている発射ボタンを押すことによって、弾性体の付勢力が解除され、穿刺具用キャップ１の先端からランセット６の針が突き出して、皮膚に穿刺する状態である。
弾性体の付勢力が解除されると、弾性体は復元するため勢いよく伸張し、キャップ３０先端までランセット２０を押し出す。キャップ１の先端中央には開孔３４が設けられているため、ランセットの針２１は、キャップ３０の先端から突出する。
なお、（ａ）に示す状態は、瞬間的なものである。ランセット２０はキャップ３０の開口部を有する面に衝突した反動及びばねの引き戻し力により、再びキャップ３０内に戻ることからランセットの針２１もキャップ１０の内部に戻ることになる。また、同図では、針が突出する状態を明確にするため、針の突出量を実際よりも大きくしてある。
【００３２】
（ｂ）は、ランセットの針２１が皮膚を穿刺した後、キャップ３０の内部に戻った状態である。
ランセット２０及びランセットの針２１は血液が付着することから、感染症予防などのために通常は使い捨てられる。しかし、キャップを本体からはずして、ランセット２０を本体１０から直接取り外そうとする場合には、使用済みのランセットの針２１で皮膚を刺す危険性がある。そこで、使用済みランセット２０を直接触らずに、キャップ３０を被せたままランセット２０を廃棄するため、ランセット２０をキャップ３０の内部に収納させる。
【００３３】
（ｃ）は、キャップ３０の押し込み部材３１を押圧して、係止部３２をランセット２０に係着させた状態である。
図２、図３に示すようにキャップ３０には、押し込み部材３１が二つ取り付けられている。ランセット２０の移動による穿刺動作時に邪魔とならないよう、押し込み部材３１は、キャップ３０の外側に形成されている。皮膚にランセットの針２１を穿刺して、ランセット２０がキャップ１０に戻った後、押し込み部材３１を押圧することにより、ランセット２０と係止部３２を係着させ、固定する。
なお、押し込み部材３１は、穿刺動作時、先端の係止部３２がキャップ３０の内側に入らないようにするため、キャップ外側に配置され、かつ、開口部より僅かに背高に形成されている。したがって、押圧するには、ある程度、指先による力が必要になる。しかし、押し込み部材３１の突端はキャップ３０の内部に入りやすい傾斜状としてあり、また、キャップは樹脂で成形してあり弾性を有しているので、わずかな押圧力によって係止部３２をランセット２０と係着させることができる。
【００３４】
（ｄ）は、ランセット２０とキャップ３０を係着させたあと、本体１０から取り出した状態を示している。
キャップ３０を引くと、ランセットのフランジ２３に係止部が係合する。それにより、ランセット２０はキャップ３０とキャップの引き抜き方向に完全に固定する。キャップ３０を引き抜くとランセット２０もキャップ３０と同時に本体から分離する。
従来、ランセットの針２１が露出したまま廃棄されると、廃棄業者等が誤ってランセットの針２１で指などを刺す事故が起きるおそれがあった。しかし、ランセットの針２１をキャップ３０に覆って廃棄できるようになったことより、使用後のランセットの針２１によって誤刺する事故を防止することができる。
【００３５】
以上、図２、図３に示した穿刺具の使用状態から、キャップ３０の押し込み部材３１を押圧することによりキャップ３０とランセット２０を固定し、本体１０から両者を同時に取り外すことができる。
これにより、穿刺具の使用者は、ランセット２０に触れることなくランセット２０を廃棄することができる。また、廃棄後は、ランセット２０とキャップ３０が固定され、ランセットの針２１が露出しないため、安全にランセットを処理することができる。
【００３６】
図４（ａ）は、キャップ３０を先端側から視た図、図４（ｂ）は、図１（ｃ）のＡ−Ａ断面を示した図、図４（ｃ）は、ランセット２０とキャップ３０の関係を示す断面図である。
キャップの係止部３２の先端および先端突出部３２ａは、円弧状に形成してある。また、対向した状態でキャップ３０に備えられている係止部３２の先端突出部３２ａは、丁度１８０度の向きに付けられておらず、若干ずらして取り付けられている。
一方、図４（ｃ）に示すように、ランセット２０のリブ２２は四つあるので、各リブの先端からリブの中心へ向かう角度は９０度である。そのため、キャップ３０とランセット２０を係着させるために押し込み部材３１を押圧したとき、係止部３２の先端または、係止部の先端突出部３２ａがランセットのリブ２２の先端に丁度当接する場合であっても、他方の先端突出部３２ａまたは、係止部３２の先端はリブ２２に当接することはない。したがって、リブの先端に当接しなかった係止部３２または先端突出部３２ａがリブ２２の側面を押圧してランセットを回動させることにより、ランセットと係止部３２の係着が確実に行えるようになる。
なお、１８０度対向して先端突出部３２ａを配置した場合に、リブ２２の先端と先端突出部３２ａが当接したときであっても、樹脂の滑性によって、先端突出部３２ａがリブ２２の側部側へ滑ってリブ２２を押し、ランセットを回動するが、上記のように先端突出部３２ａを１８０度より僅かにずらすことによって確実にランセットを回動させることができる。
【００３７】
図５（ａ）はキャップ胴部３５を矩形状に形成し、そのうち対向する二辺を押し込み部材３１とした場合のキャップ３０とそのキャップ３０に対応するホルダー１１の斜視図であり、図５（ｂ）は、その平面図である。
図５（ａ）に示すようにキャップ胴部を矩形状に加工することによって、キャップ３０は転がりにくいため、円筒状に加工したものより取り扱いが容易である。また、押し込み部材３１の長さを前述した実施例の場合よりキャップ胴部３５の部分まで伸ばし、さらに押し込み部材３１の幅を広げることにより、押し込み部材の面積を広くして、押し込み部材３１を押圧しやすい形状にしている。さらに、形状が単純化するので金型の簡易化、材料の低減によりコストダウンを図ることができる。
【００３８】
また、ホルダー１１の内部にキャップ胴部３５を挿入する構造とすることによって、ホルダー１１は押し込み部材３１の押圧の妨げとならない。すなわち、ホルダー１１の内部にキャップ３０をはめ込んで両者を固定するが、そのとき、ホルダー１１の内側に押し込み部材３１の一部も挿入されて、ホルダー１１の内側に押し込み部材３１が固定される。
したがって、穿刺具を使用した後、押し込み部材３１を押圧してキャップ３０とランセット２０を係着させるときに、ホルダー１１は、押し込み部材３１の妨げとならない。
なお、係止部の位置、先端形状、ランセットと円筒との関係などは、第一実施形態のものと同様の形態となっている。
【００３９】
図６は、キャップ３０の押し込み部材３１に取り付けられる係止部３２と押し込み突起３３について、前記実施形態のものと異なるパターンを例示したものである。
図６（ａ）のキャップ３０は、押し込み部材３１の一側に押し込み突起３３が取り付けられ、他側に係止部３２が取り付けられたものである。図６（ｂ）のキャップ３０は、押し込み部材３１の一側には係止部３２と押し込み突起３３が取り付けられ、他側には係止部３２が取り付けられたものであり、それぞれの図は、キャップ３０とランセット２０の断面図を示すものである。
【００４０】
上記のキャップ３０の押し込み部材３１を押圧したときのランセット２０の動作を説明する。
図６（ａ）は、上側の二つの押し込み突起３３が丁度、ランセット２０の谷間と対向した位置にある場合を示す。
ランセット２０のリブ２２は四つあるので、各リブの先端からリブの中心へ向かう角度は９０度である。一方、押し込み突起３３のリブ２２の中心へ向かう角度９０度より小さくしてある。これにより、リブの溝２４に二つの押し込み突起３３が入り込むことになり、押し込み突起３３は、係止部３２がなくても、ランセット２０を回転させて固定することができる。
【００４１】
また、二つの押し込み突起３３は、係止部３２からの中心へ向かう角度をずらして取り付けられている（角度αと角度βは異なる）。このようにすると、キャップの押し込み部材３１を押圧したときに、係止部３２からの中心へ向かう角度の大きい押し込み突起３３（図の右側の押し込み突起３３）が先にランセットのリブ２２に接触する。接触した押し込み突起３３は、ランセット２０をわずかに回転させ、そのあと、係止部３２からの中心へ向かう角度の小さい押し込み突起３３（図の左側の押し込み突起３３）がリブ２２に接触する。
二つの押し込み突起３３の係止部３２からの角度は同一でもよいが、上記のように係止部３２からの中心へ向かう角度をずらして取り付けられている場合には、より確実にランセット２０と係止部３２を係着することができる。
【００４２】
押し込み突起３３は、ランセットの溝２４に係着しやすいように、くさび形またはそれに近い先端を平坦にした形状で成形されている。押し込み突起３３は両方の押し込み部材３１に設けてもよい。このようにすると、より迅速かつ確実にランセット２０とを係着することができる。
【００４３】
図６（ｂ）は、ランセットのリブ２２が丁度、一側の係止部３２に当接した場合を示す。
この場合、上述したようにキャップ３０に対に備えられている係止部３２は、１８０度反対の向きに付けられておらず、若干ずらして取り付けられているため、一方の係止部３２がランセットのリブ２２の先端に丁度当接したときであっても、他方の係止部３２はリブ２２の先端に当接することはない。したがって、他方のリブの先端に当接しなかった係止部３２がランセットのリブ２２の側面を押圧することにより、ランセットは回転し、キャップの二つの係止部３２とランセット２０は係着する。
なお、他側の係止部３２がリブ２２を押すことにより、ランセット２０は、時計方向に回転する。係止部３２は押し込み突起３３と比較して大きいため、ランセットのリブ２２は押し込み突起３３を乗り越え、キャップの二つの係止部３２とランセット２０は係着する。
【００４４】
以上、本発明の装置について、好ましい実施形態を示して説明したが、本発明に係る装置は、上述した実施形態にのみ限定されるものではなく、本発明の範囲で種々の変更実施が可能であることは言うまでもない。
例えば、キャップ３０に取り付けられる押し込み部材３１は二個に限られず、一個であってもよく、また、三個以上であっても良い。ランセット２０と押し込み部材３１が係着すればよいからである。
また、押し込み部材３１に取り付けられる押し込み突起３３は、一又は二個に限られず、三個以上であっても良い。
【産業上の利用可能性】
【００４５】
本発明は、糖尿病やその他の疾病について検査する際に、穿刺具の使用者が安全で簡易に使用済みランセットを本体から取り外して廃棄でき、かつ、処理業者等が廃棄されたランセットを安全に取り扱うことができる。
【図面の簡単な説明】
【００４６】
【図１】本発明に係る穿刺具を構成する本体、ランセット、キャップの側面図及びキャップの断面図である。
【図２】本発明に係る穿刺具を構成するキャップ、ランセット及び本体ホルダーの断面図であり、ランセットを本体ホルダーに装着してから、ランセットの発射前までの状態を示している。
【図３】本発明に係る穿刺具を構成するキャップ、ランセット及び本体ホルダーの断面図であり、ランセットの発射直後からランセットを穿刺具用キャップとともに本体から分離するまでの状態を示している。
【図４】本発明に係る穿刺具を構成するキャップ前方向の概略図、断面図及びランセットとキャップの関係を示す断面図である。
【図５】本発明の別の実施例に係る穿刺具のキャップ及びホルダーの斜視図と平面図である。
【図６】本発明の別の実施例に係る穿刺具のキャップとランセットの関係を示す断面図である。
【符号の説明】
【００４７】
１０  穿刺具本体
１２  ホルダー
１３  本体頭部
１４  円筒
１５  発射ボタン
２０  ランセット
２１  針
２２  リブ
２３  フランジ
２４  溝
３０  キャップ
３１  押し込み部分
３２  係止部
３２ａ  先端突出部
３３  押し込み突起
３４  キャップ頭部
３５  キャップ胴部
３６  開孔
３７  開口部
【図１】
2005253781.tif 000003
【図２】
2005253781.tif 000004
【図３】
2005253781.tif 000005
【図４】
2005253781.tif 000006
【図５】
2005253781.tif 000007
【図６】
2005253781.tif 000008